(57)【要約】      （修正有）【課題】ヒゲ持ちホルダに対するヒゲ持ちの位置を調整し、それに続いてねじを用いずにヒゲ持ちをより簡単に固定できるようにしたアセンブリを提供する。【解決手段】ヒゲ持ちホルダ２０５は、ヒゲ持ち２０３を長手方向に受承して位置決めするよう配設された溝状のハウジング２１３を有する。ハウジング２１３は、弾性ストリップ２１５によって横方向に少なくとも部分的に閉鎖され、この弾性ストリップ２１５は、ハウジング２１３を溝の底部に対して押し戻すように設けられ、これにより、ヒゲ持ち２０３を弾性ストリップ２１５と溝の底部との間に挿入することによりヒゲ持ち２０３をロックできる。【選択図】図５
2014224820.tif 000002
【特許請求の範囲】
【請求項１】
ヒゲ持ちホルダ（５；２０５）及びヒゲ持ち（３；２０３）で構成された構造であって、
前記ヒゲ持ちホルダは、前記ヒゲ持ちを長手方向に受承して位置決めするよう設けられた溝状のハウジング（１３：２１３）を有し、
前記ハウジングは、弾性ストリップ（１５；２１５）によって横方向に少なくとも部分的に閉鎖されている構造において、
前記弾性ストリップの横断方向概形は、前記溝状ハウジングの２つの側部を接続する湾曲した弧を形成すること、並びに
前記弾性ストリップは、前記ストリップが形成する前記弧が前記ハウジングの底部に向かって湾曲する第１の安定位置、及び前記弧が逆方向に湾曲する第２の安定位置をとることができ、前記弾性ストリップ（１５；２１５）は、前記ヒゲ持ち（３；２０３）を前記ハウジング（１３；２１３）の前記底部に対して押し戻すよう設けられ、これにより、前記ヒゲ持ちを前記弾性ストリップと前記ハウジングの前記底部との間に挿入すると前記ヒゲ持ちがロックされること
を特徴とする、ヒゲ持ち保持構造。
【請求項２】
前記弾性ストリップ（１５；２１５）は、フック構造（１７；２１７）を有し、
前記フック構造は、把持工具により、前記ヒゲ持ちを解放するために前記把持工具によって前記弾性ストリップを前記ヒゲ持ちから離れるように移動させるように形成されている
ことを特徴とする、請求項１に記載のヒゲ持ちホルダ。
【請求項３】
前記ハウジング（１３；２１３）は、前記ヒゲ持ちがロックされている時、前記ヒゲ持ちと前記ハウジングの内壁との間に、限られた数の接触点しか存在しないように溝の底部が台形を呈することを特徴とする、請求項１又は２に記載のヒゲ持ち保持構造。
【請求項４】
前記溝状ハウジング（１３；２１３）は、実質的に平面視直線で囲まれた溝で形成され、天真に対して平行な底面を有することを特徴とする、請求項１〜３のいずれか１項に記載のヒゲ持ち保持構造。
【請求項５】
前記弾性ストリップ（１５；２１５）は、前記ヒゲ持ちホルダ（５；２０５）と一体であることを特徴とする、請求項１〜４のいずれか１項に記載のヒゲ持ち保持構造。
【請求項６】
前記ストリップ（１５；２１５）は、前記溝状ハウジング（１３；２１３）の両側において、前記ヒゲ持ちホルダに取り付けられていることを特徴とする、請求項１〜５のいずれか１項に記載のヒゲ持ち保持構造。
【請求項７】
前記ヒゲ持ちホルダは、シリコン製であることを特徴とする、請求項５に記載のヒゲ持ち保持構造。
【請求項８】
前記ヒゲ持ちホルダは、金属製であることを特徴とする、請求項５に記載のヒゲ持ち保持構造。
【発明の詳細な説明】
【技術分野】
【０００１】
本発明は、テンプ、ヒゲゼンマイ、ヒゲ持ち及びヒゲ持ちホルダを有する時計用のゼンマイ−テンプ式調速部材であって、ヒゲゼンマイはテンプに接続された一方の端部を有し、また他方の端部によってヒゲ持ちに固定され、ヒゲ持ちはヒゲ持ちホルダによって所定の位置に堅固に保持されている調速部材に関する。より具体的には、本発明は、ヒゲ持ち及びヒゲ持ちホルダを組み立てることによって形成されるヒゲ持ちの保持構造に関する。
【背景技術】
【０００２】
テンプ及びヒゲゼンマイを有し、ヒゲゼンマイの内側端部は天真に圧入されたヒゲ玉に堅固に固定され、ヒゲゼンマイの外側端部は、天真と同心に角度運動可能なヒゲ持ちホルダによって支持されたヒゲ持ちに堅固に固定された調速部材が知られている。
【０００３】
ヒゲゼンマイの外側端部をヒゲ持ちに固定する複数の公知の方法が存在する。これらの方法のうちの１つを添付した図１、２に示す。まず、ヒゲゼンマイの端部（参照番号１０１）を、ヒゲ持ち１０３が備えるノッチに挿入する。続いて、ヒゲゼンマイを接着結合によってノッチ又は孔にロックする。そして、ヒゲ持ち１０３をヒゲ持ちホルダ１０５に設けたハウジングに挿入する。ハウジング内におけるヒゲ持ちの高さを調整した後でヒゲ持ちを固定するために、小型ねじ１０７が設けられている。
【０００４】
ヒゲ持ちホルダは、天真と同心のテンプ受け（又はテンプブリッジ）の一部上において、隙間嵌めによって枢動する。この特徴により、腕時計製作者は、ヒゲ持ちの角度位置及びヒゲゼンマイの外側端部の角度位置を、ヒゲ持ちホルダをテンプに対して枢動させるだけで調整できる。ヒゲゼンマイの外側端部の角度位置は、テンプが平衡位置にある場合にアンクル真がアンクルレバー及びテンプと一直線上となるようなものでなければならないため、この操作は重要である。
【０００５】
天真に対するヒゲゼンマイの位置の調整は正確でなければならない。実際、天真に対するヒゲゼンマイのいずれの偏心又は直角精度の誤差は、特に調速部材の等時性に関して重大な計時誤差を引き起こす。従って、ヒゲ持ちは、ヒゲゼンマイの同心運動を保証するために、ヒゲゼンマイの平面に対して垂直でなければならず、また正確に位置決めされていなければならない。実際問題として、アクセスが制限されており、また関連する部品の寸法が極めて小さいため、ヒゲ持ちの位置の調整は困難である。従来の金属合金製ヒゲゼンマイでは、ヒゲ持ち及びヒゲ持ちホルダによってヒゲゼンマイの外側端部をテンプブリッジに固定した後でもまだ、ヒゲゼンマイの理想的な３次元形状に対するいずれの不可避的な偏向を、ヒゲゼンマイの端部の塑性変形によって補正できる。
【０００６】
ヒゲゼンマイがシリコン、ダイヤモンド又は石英等の脆性材料製である場合、塑性変形による上述のような調整は不可能である。このような状況では、ヒゲ持ちの使用は、ヒゲ持ちの軸とヒゲゼンマイの平面との間の可能な限り完璧な直角精度を得るために、極めて厳格な製造許容公差及びヒゲ持ち−ヒゲゼンマイの強固な組み付けを必要とする。ねじを締めることによってヒゲ持ちをハウジング内に単に固定するだけで、ヒゲ持ちの配向を歪めてしまうには十分であり得ることを知れば、このような基本的な要件が工業的規模における主要な困難を表していることは容易に理解されるであろう。更に、調整操作中に締め付けねじが落ちたり紛失したりすることはごく一般的に発生する。
【発明の概要】
【発明が解決しようとする課題】
【０００７】
本発明の目的は、ヒゲ持ち及びヒゲ持ちホルダで形成されたアセンブリであって、ヒゲ持ちホルダに対するヒゲ持ちの位置を調整し、それに続いてねじを用いずにヒゲ持ちをより簡単に固定できるようにした、アセンブリを提供することによって、上述の従来技術の欠点を克服することである。
【課題を解決するための手段】
【０００８】
本発明は、添付した請求項１に記載のヒゲ持ち及びヒゲ持ちホルダで形成されたヒゲ持ち保持構造を提供することによって、この目的を達成する。
【０００９】
本発明の他の特徴及び利点は、添付した図面を参照して単なる非限定的な例として挙げる以下の詳細な説明を読むことにより明らかになるであろう。
【図面の簡単な説明】
【００１０】
【図１】図１は、従来技術のヒゲ持ち−ヒゲ持ちホルダのアセンブリの概略平面図である。
【図２】図２は、図１のＡ−Ａに沿った断面図である。
【図３】図３は、本発明によるゼンマイ−テンプ式調速部材を示す平面図である。
【図４】図４は、図３の調速部材の部分拡大図であり、より詳細にはヒゲ持ち及びヒゲ持ちホルダのヒゲ持ち保持構造を示す部分拡大図である。
【図５】図５は、図４と同様の部分拡大図であるが、本発明の第２の実施形態によるゼンマイ−テンプ式調速部材を示す。
【発明を実施するための形態】
【００１１】
図３は、本発明の特定の実施形態に対応する時計用のゼンマイ−テンプ式調速部材を示す。同図を参照すると、テンプ７が示されており、その真は２つの軸受の間で枢動する。従来の様式では、これらの軸受のうちの一方（参照番号１１）はテンプ受け９に支持され、他方の軸受は地板（図示せず）に設けられている。また、従来の構造では、テンプはヒゲゼンマイ１と連携しており、このヒゲゼンマイ１の中心端部は天真に固定されている。
【００１２】
テンプ受け９は、また、ヒゲ持ち３及びヒゲ持ちホルダ５で形成されたアセンブリの支持体としても機能する。このアセンブリは、ヒゲゼンマイ１の外側端部１ａを位置決めするように構成されている。この実施例では、まず前記端部１ａを接着結合によってヒゲ持ちに固定する。これを達成するために、ヒゲゼンマイの端部をまずヒゲ持ちのノッチ（図示せず）に挿入する。そして接着結合によってヒゲゼンマイをノッチにロックする。本発明はヒゲゼンマイの端部１ａをヒゲ持ちに固定する特定の方法に制限されるものではないことを明記しておく。端部１ａを例えば、ピンを用いて従来のヒゲ持ちに固定することも同様に可能である。又は更に別の変形例によると、ヒゲ持ち３及びヒゲゼンマイ１を単一部品で作製してもよい。
【００１３】
本実施例では、ヒゲ持ちホルダ５は基本的に、天真と同心の環状部分及びアームの形状の延伸部品で形成され、この延伸部品はヒゲ持ち３を支持し、天真に対して径方向に、ヒゲゼンマイの外側コイルに向かって延伸する。従来の構造では、ヒゲ持ちホルダ５の延伸部品は、天真に平行に配向されたハウジング１３を有し、ヒゲ持ちはこのハウジング１３に長手方向から挿入されている。更にヒゲ持ちホルダ５は、テンプと同心のテンプ受け９の一部上において、隙間嵌めによってその環状部分を介して枢動する。この特徴により、腕時計製作者は、テンプ受け及びテンプに対してヒゲ持ちホルダ５を枢動させるだけで、ヒゲ持ち３の位置を変更できる。
【００１４】
図４を再び参照すると、図示した実施例では、ハウジング１３は、その長さ全体の殆どにわたって直線状の弾性ストリップ１５で閉鎖されている溝（ｇｒｏｏｖｅ）によって形成されることがわかる。前記ストリップ１５は、その弾性による圧力によってヒゲ持ち３を把持して溝の底部に対してロックするよう設けられる。図４はまた、前記ストリップ１５が溝の壁部と一体であり、溝の一方の壁部から他方の壁部へと中断することなく延在していることを示す。しかしながら、本発明による前記ストリップは必ずしもヒゲ持ちホルダと一体ではなく、溝の両側においてヒゲ持ちホルダに固定されるものであってよいことを明記しておく。また、ヒゲ持ちホルダは好ましくはシリコン製であること、及びそれにもかかわらずヒゲ持ちホルダを他の材料で製作することもできることも明記しておく。例として、ヒゲ持ちホルダは金属製であってもよく、又は複合材料製でさえあってもよい。ヒゲ持ちが金属製である場合、好ましくはヒゲ持ちをＬＩＧＡ技術を用いた電鋳によって形成する。
【００１５】
本発明によると、前記弾性ストリップ１５は、腕時計製作者がストリップを後方に引っ張ることでヒゲ持ちを解放できるように設けたフック構造１７を備えている。より具体的には、腕時計製作者がヒゲ持ちホルダ５に対するヒゲ持ち３の位置を調整しようとした場合、腕時計製作者は、フック構造１７と協働するように適合する工具（図示せず）を使用できる。従って、フック構造１７により、腕時計製作者は弾性ストリップ１５を本来の位置ではない位置に移動させてヒゲ持ちを解放することができる。ストリップ１５は溝の両側に固定されることを思い出されたい。更に、図４を再び参照すると、本発明によると、弾性ストリップ１５は溝の底部に向かって湾曲する弧を形成していることがわかる。この構造による１つの利点は、これによってストリップ１５が２つの安定位置を有するようになることである。これらの位置のうちの１つは、図３、４に示すものである。第２の位置は、ストリップ１５の湾曲が反転した状態に対応し、すなわちストリップは溝の外側へ向かって湾曲した弧を形成している状態である。以上から、腕時計製作者は、ストリップ１５がヒゲ持ち３から離れるように移動させることによって、第１の安定位置から第２の安定位置へとストリップ１５を素早く変位させ、これによってストリップ１５はヒゲ持ち３に対してもはや圧力を印加しない状態となることがわかるだろう。第２の位置は安定しているため、ヒゲ持ち３の位置の調整後にストリップ１５を保持する必要はない。ヒゲ持ち３が正確に位置決めされたら、腕時計製作者は、溝の底部に向かってストリップ１５を押すだけでよく、これによってストリップ１５が第２の位置から第１の位置へと戻るように素早く変位して再びヒゲ持ち３をロックする。
【００１６】
本実施例によると、ヒゲ持ち３の形状は本質的に円筒形である。円筒形が元来有する回転対称性に関連する１つの利点は、ヒゲ持ちホルダ５に対するヒゲ持ち３の位置を、長手方向のみならず回転方向にも調整できる点である。この追加の可能性は、ヒゲゼンマイが脆性材料製である場合に有利となる。実際、ヒゲゼンマイをこのタイプの材料で製作した場合、ヒゲゼンマイの端部の塑性変形によるヒゲゼンマイのいずれへの偏向を補正することは原理的に不可能である。しかしながら、回転方向への調整可能性が不要である場合、有利なことには、ハウジング１３の内壁と協働してヒゲ持ち３を角度的にロックするよう配設された平坦部分（図示せず）を有するヒゲ持ちを使用できる。
【００１７】
図５は、本発明の第２の実施形態による調速部材の一部を構成するヒゲ持ち及びヒゲ持ちホルダ２０５のアセンブリを示す部分拡大図である。この第２の実施形態では、第１の実施形態と同様に、弾性ストリップ２１５は２つの別個の安定位置を取ることができる。図５に示す位置は、ストリップが弾性力によってヒゲ持ち２０３を溝２１３の底部に対してロックするように設けられている位置であることが分かるであろう。図示していない第２の位置は、弾性ストリップ２１５の湾曲が反転した状態に対応し、すなわち弾性ストリップは溝２１３の外側へ向かって湾曲した弧を描く状態になる。好ましくは、弾性ストリップ２１５は、ストリップがその側部のうちの一方によって接続された溝２１３の一方の縁部と一体である。図示した実施形態では、ストリップの他方の側部は可撓性アーム又はばね２１２に接続され、このばね２１２もまた、ヒゲ持ちホルダ２０５の他の部分と一体である。可撓性アーム２１２が存在することに関連する１つの利点は、これによって、ストリップ２１５を曲がった状態に保持したまま、ストリップ２１５をその安定位置のうちの一方から他方へとフック構造２１７を使って素早く変位させるために必要な労力が低減される点である。
【００１８】
添付した請求項によって定義される本発明の範囲から逸脱することなく、本明細書に記載の実施形態に対して、当業者に明らかである様々な改変及び／又は改良を施してよいことも明らかであろう。特に、ヒゲ持ちを受承するためにヒゲ持ちホルダに設けられるハウジングは、第１の変形例では貫通孔であってよい。しかしながら別の変形例では、このハウジングはヒゲゼンマイの片側のみに開いているものであってもよい。
【符号の説明】
【００１９】
１                   ヒゲゼンマイ
３、１０３、２０３   ヒゲ持ち
５、１０５、２０５   ヒゲ持ちホルダ
７                   テンプ
９                   テンプ受け
１１                 軸受
１３、２１３         ハウジング
１５、２１５         弾性ストリップ
１７、２１７         フック構造
２１２               可撓性アーム又はばね
【図１】
2014224820.tif 000003
【図２】
2014224820.tif 000004
【図３】
2014224820.tif 000005
【図４】
2014224820.tif 000006
【図５】
2014224820.tif 000007